(57)【要約】【課題】ランプ製造に際して各種工程における各加工装置が精度よく同期動作できるようにするとともに、コストの増大を抑制することができるランプ製造装置を提供する。【解決手段】ランプ製造装置１００は、封止装置４１等の加工装置、マスター３１、伝送路３３を備える。マスター３１は、基準位相角度生成手段５１、パルス信号生成手段５２を備え、基準位相角度を生成し、基準位相角度に対応するパルス信号をスレーブ３２に出力する。パルス信号は、予め定められた特定パルス列に当てはめて出力される。スレーブ３２は、基準位相角度復元手段５３、加減速信号出力手段５４、インバータ５５を備え、基準位相角度復元手段５３は、入力されたパルス信号からなる参照パルス列から基準位相角度を復元する。復元された基準位相角度とモータ５６の機械軸の位相角度等とに基づいて、インバータ５５に加減速信号を出力し、モータ５６の機械軸を制御する。【選択図】      図３
2008193851.tif 000002
【特許請求の範囲】
【請求項１】
複数の加工装置によってガラス管に種々の加工を施すことでランプを製造するランプ製造装置であって、
前記複数の加工装置のうちの１の特定の加工装置、又は、前記複数の加工装置とは別の装置からなる親機の機械軸から基準位相角度を生成し、当該基準位相角度に対応するパルス信号を出力するマスター部と、
前記パルス信号を入力するスレーブ部と、
前記マスター部から前記スレーブ部へ前記パルス信号を伝送する伝送路とを備え、
前記パルス信号は、長パルス及び短パルスの２種類であり、
前記マスター部は、前記親機の機械軸が１サイクル動作する間に予め定められた信号出力回数Ｍと同数のパルス信号を出力するとともに、前記親機の機械軸が１サイクル動作する間に出力される前記長パルス及び短パルスの並び順が、予め定められた特定パルス列における長パルス及び短パルスの並び順と等しいものであり、
前記スレーブ部は、前記マスター部からの前記パルス信号を入力された順序で記録し、前記パルス信号の認識に際し、前記記録されたパルス信号のうち直近に記録されたｌｏｇ2Ｍ以上の最小の整数である所定数Ａと同数の前記パルス信号からなるパルス列における前記長パルス及び短パルスの並び順に基づいて、前記基準位相角度を復元するとともに、前記復元した基準位相角度に基づいて前記親機を除く前記複数の加工装置のうちの少なくとも１つからなる子機の機械軸を制御し、
前記特定パルス列は、当該特定パルス列を環状に配置し、当該環状に配置されたパルス列から前記所定数Ａと同数の前記パルス信号からなる任意の異なるパルス列を２組選択したとき、当該選択された２組のパルス列における前記長パルス及び短パルスの並び順が不一致となるよう設定されていることを特徴とするランプ製造装置。
【請求項２】
前記スレーブ部は、所定時間以上前記パルス信号が入力されない場合、或いは、入力されたパルス信号が所定長さ以上である場合、前記子機の動作を停止させることを特徴とする請求項１に記載のランプ製造装置。
【請求項３】
前記マスター部は、前記複数の加工装置のうち１の特定の加工装置からなる前記親機の機械軸から前記基準位相角度を生成することを特徴とする請求項１又は２に記載のランプ製造装置。
【請求項４】
前記スレーブ部は、前記パルス信号の認識に際し、前記パルス信号の時間間隔を記録するとともに、直近に記録された前記時間間隔と等しい時間の経過後に、前記子機の機械軸の位相角度が、前記復元された基準位相角度と予め定められた特定角度とを加算した角度に等しくなるよう前記子機の機械軸を制御することを特徴とする請求項１乃至３のいずれか１項に記載のランプ製造装置。
【請求項５】
前記スレーブ部は、前記パルス信号の認識に際し、前記パルス信号の時間間隔を記録するとともに、
前記記録された時間間隔のうち、直近に記録された前記時間間隔と、当該直近に記録された前記時間間隔の直前に記録された前記時間間隔との差が予め定められた所定範囲内である場合、
直近に記録された所定数の前記時間間隔の平均値である平均時間間隔と等しい時間の経過後に、前記子機の機械軸の位相角度が、前記復元された基準位相角度と予め定められた特定角度とを加算した角度に等しくなるよう前記子機の機械軸を制御することを特徴とする請求項１乃至３のいずれか１項に記載のランプ製造装置。
【請求項６】
前記スレーブ部は、前記パルス信号の入力開始時に前記パルス信号を認識することを特徴とする請求項１乃至５のいずれか１項に記載のランプ製造装置。
【請求項７】
前記スレーブ部は、前記パルス信号の入力終了時に前記パルス信号を認識することを特徴とする請求項１乃至５のいずれか１項に記載のランプ製造装置。
【請求項８】
前記スレーブ部は、前記親機を除く各加工装置に対応して設けられていることを特徴とする請求項１乃至７のいずれか１項に記載のランプ製造装置。
【請求項９】
前記各加工装置は、前記ガラス管の一端部を封止する封止装置、前記ガラス管内の排気及びガス導入を行う排気・ガス導入装置、前記ガラス管に挿入された水銀合金部材を加熱するＨｇ析出装置、及び前記ガラス管の他端部を封止するとともに、前記ガラス管の不要部位を切除するシールカット装置のうち、少なくとも２つの装置であることを特徴とする請求項１乃至８のいずれか１項に記載のランプ製造装置。
【請求項１０】
前記各加工装置は、前記ガラス管の受渡手段を具備していることを特徴とする請求項１乃至９のいずれか１項に記載のランプ製造装置。
【発明の詳細な説明】
【技術分野】
【０００１】
本発明は、冷陰極蛍光灯等のランプ製造装置を含む技術分野に関する。
【背景技術】
【０００２】
例えば、液晶表示装置等のバックライト用光源として、冷陰極蛍光灯（ＣＣＦＬ）が使用される。かかる蛍光灯は、一般的に、内周面の所定部位に蛍光体層が形成されるとともに、不活性ガス及び水銀蒸気が導入されるバルブ部と、バルブ部の両端にて封止されるとともに、バルブ部内に高電圧を放出する電極マウントとを備える。
【０００３】
かかる冷陰極蛍光灯は、例えば、次のように製造される。まず、内壁面の所定部位に蛍光体層が形成されたガラス管を用意する。蛍光体層は、ガラス管内壁面に塗布された蛍光塗膜が焼成されることで形成される。次に、ガラス管の一端部にマウントを封止する。より詳しくは、マウントは、電極部、電極部から延びるリード線、及びリード線の基端部側に設けられたガラス製のビードからなり、ガラス管と前記ビードとが相互に溶着させられることで封止される。続いて、ガラス管の他端側に２ヶ所の縮径部を形成する。２ヶ所の縮径部のうちガラス管の一端側に位置する縮径部に別のマウントを仮止めし、他端側に位置する縮径部に水銀合金部材を挿入する。
【０００４】
そして、ガラス管内を排気しつつ、不活性ガスを導入する。この際、不純物の排出効率をより高めるために、ガラス管の加熱が行われる。その後、ガラス管は徐冷され、ガラス管の他端部が封止される。
【０００５】
その後、別装置において、高周波加熱を行うことによりガラス管内に水銀蒸気を放出させる。そして、前記仮止めされていた残りのマウントを封止する。より詳しくは、ガラス管を所定位置に位置決めした状態で、別のマウントの仮止めされている縮径部外周を加熱し、相互に溶着し、その後、不要部位、つまり、水銀合金部材の存在する部位を切除する。かかる一連の工程を経ることで、換言すれば各種工程のための複数の加工装置を経ることでランプとしての冷陰極蛍光灯が得られる。勿論、上記手順はあくまでも一例である。
【０００６】
ところで、上記一連の各工程を経るに際し、各加工装置間でガラス管の受渡を行う必要がある。ここで、渡し側の装置と受け側の装置とを同期して動作させることが非常に重要となってくる。仮に同期が正確に行われないと、受渡を円滑に行うことができず、ガラス管の落下や破損を招いてしまうおそれがあるからである。
【０００７】
各加工装置を同期して動作させる手法としては、例えば、次のことが考えられる。すなわち、各加工装置とは別に同期の基準となる親機を設け、当該親機の機械軸が１サイクル動作する毎に、各加工装置に対して原点信号を出力する。原点信号が入力された各加工装置は、自身の機械軸の位相角度と予め定められた所定角度とを比較し、必要に応じて自身の機械軸の回転速度を増減させる。これにより、親機と各加工装置とが同期して動作できることとなり、ひいては各加工装置同士が同期してガラス管の受渡をできることとなる。
【０００８】
また、親機が同期の基準となる基準位相角度を生成するとともに、当該基準位相角度等のデータを各装置に出力することで各装置同士を同期して動作させることも提案されている。より詳しくは、親機は、前記基準位相角度に加え、データ伝送や演算のタイミングをとるための一定のスタートビットを付随させたデータを各装置に出力する。当該データは、一群のビット情報として表現されており、シリアル伝送路を介して伝送される。親機からのデータが入力される各装置にはそれぞれ演算装置が設けられており、当該各演算装置は、入力されたデータから基準位相角度を認識する。各演算装置は、認識した基準位相角度に基づいて、各装置の機械軸の位相角度を制御し、その結果、各装置は親機と同期して動作できることとなる（例えば、特許文献１参照）。
【特許文献１】特開２００２−３０５８８９号公報
【発明の開示】
【発明が解決しようとする課題】
【０００９】
しかしながら、前者の技術を用いて各装置の同期制御をする場合には、１サイクルに１度のみ親機から原点信号が伝送されるため、特に、１サイクルに要する時間が長い場合には、親機の動作状況の把握が難しく、同期制御を精度よく行えないおそれがある。
【００１０】
また、後者の技術を用いて各装置の同期制御をする場合には、親機と各装置との間でデータを伝送するためにシリアル伝送路が必要とされるが、シリアル伝送路は比較的高価なものである。ここで、複数の加工装置によって種々の加工を施すランプの製造装置においては、親機と各加工装置とを結ぶシリアル伝送路を多数用意する必要があり、結果として、製造装置に関するコストが増大してしまうことが懸念される。
【００１１】
本発明は、上記事情を鑑みてなされたものであり、その目的は、ランプ製造に際して各種工程における各加工装置が精度よく同期動作できるようにするとともに、コストの増大を抑制することができるランプ製造装置を提供することにある。
【課題を解決するための手段】
【００１２】
以下、上記目的等を解決するのに適した各手段につき、項分けして説明する。なお、必要に応じて対応する手段に特有の作用効果を付記する。
【００１３】
手段１．複数の加工装置によってガラス管に種々の加工を施すことでランプを製造するランプ製造装置であって、
前記複数の加工装置のうちの１の特定の加工装置、又は、前記複数の加工装置とは別の装置からなる親機の機械軸から基準位相角度を生成し、当該基準位相角度に対応するパルス信号を出力するマスター部と、
前記パルス信号を入力するスレーブ部と、
前記マスター部から前記スレーブ部へ前記パルス信号を伝送する伝送路とを備え、
前記パルス信号は、長パルス及び短パルスの２種類であり、
前記マスター部は、前記親機の機械軸が１サイクル動作する間に予め定められた信号出力回数Ｍと同数のパルス信号を出力するとともに、前記親機の機械軸が１サイクル動作する間に出力される前記長パルス及び短パルスの並び順が、予め定められた特定パルス列における長パルス及び短パルスの並び順と等しいものであり、
前記スレーブ部は、前記マスター部からの前記パルス信号を入力された順序で記録し、前記パルス信号の認識に際し、前記記録されたパルス信号のうち直近に記録されたｌｏｇ2Ｍ以上の最小の整数である所定数Ａと同数の前記パルス信号からなるパルス列における前記長パルス及び短パルスの並び順に基づいて、前記基準位相角度を復元するとともに、前記復元した基準位相角度に基づいて前記親機を除く前記複数の加工装置のうちの少なくとも１つからなる子機の機械軸を制御し、
前記特定パルス列は、当該特定パルス列を環状に配置し、当該環状に配置されたパルス列から前記所定数Ａと同数の前記パルス信号からなる任意の異なるパルス列を２組選択したとき、当該選択された２組のパルス列における前記長パルス及び短パルスの並び順が不一致となるよう設定されていることを特徴とするランプ製造装置。
【００１４】
尚、「パルス信号」とは、オン及びオフの２種類の出力を有する波形信号のうち、オン或いはオフのどちらか一方の出力のことをいう。また、「長パルス」とは、パルス幅が所定長さ以上のパルス信号であり、一方、「短パルス」とは、パルス幅が所定長さ未満の、つまり、「長パルス」よりも短い、パルス信号である。加えて、信号出力回数Ｍは整数であり、特に３以上の整数をいう（以下、同様とする）。
【００１５】
上記手段１によれば、本発明のランプ製造装置は、マスター部、スレーブ部、及び伝送路を具備する。マスター部は、ランプに種々の加工を施す各加工装置のうち１の特定の加工装置、又は、各加工装置とは別の装置からなる親機の機械軸から同期の基準となる基準位相角度（例えば、４５度、９０度等）を生成する。そして、スレーブ部に対して生成された基準位相角度に対応するパルス信号を出力する。ここで、親機の機械軸が１サイクル動作する間に予め定められた信号出力回数Ｍと同回数のパルス信号が出力される。つまり、親機の機械軸が１サイクル動作する間に、信号出力回数Ｍと同回数の基準位相角度が生成される。親機の機械軸が１サイクル動作する間に出力されるパルス信号からなるパルス列は、予め定められた特定パルス列となるように設定される。換言すれば、パルス信号は、特定パルス列における長パルス及び短パルスの並び順に当てはめて出力される。ここで、特定パルス列とは、信号出力回数Ｍと同数のパルス信号からなり、当該特定パルス列を環状に配置し、環状に配置されたパルス列からｌｏｇ2Ｍ以上の最小の整数である所定数Ａのパルス信号からなる任意の異なるパルス列を２組選択したときに、当該選択された２組のパルス列における長パルス及び短パルスの並び順が不一致となるように設定されているパルス列である。具体的な例を挙げて説明すると、例えば、信号出力回数Ｍを８とした場合、長パルスをＷ、短パルスをＮとして表示すると、特定パルス列としては｛ＷＷＷＮＷＮＮＮ｝のパルス列を用いることができる。この場合、所定数Ａは３（ｌｏｇ2８）であり、当該特定パルス列を環状に配置した上で、環状に配置されたパルス列から所定数Ａと同数のパルス信号よりなるパルス列を選択したとき、選択され得るパルス列は｛ＷＷＷ｝、｛ＷＷＮ｝、｛ＷＮＷ｝、｛ＮＷＮ｝、｛ＷＮＮ｝、｛ＮＮＮ｝、｛ＮＮＷ｝、｛ＮＷＷ｝であり、これらのパルス列におけるＷ及びＮの並び順はそれぞれ不一致となるためである。また、この場合、当該特定パルス列を用いた上で、親機の機械軸が１サイクル動作する間に親機の機械軸が進む位相角度を３６０度とすると、例えば、０度、４５度、９０度、１３５度、１８０度、２２５度、２７０度、３１５度と１サイクル中に８回の基準位相角度が生成され、それぞれの基準位相角度に対応してＷ、Ｗ、Ｗ、Ｎ、Ｗ、Ｎ、Ｎ、Ｎの順序でパルス信号が出力される。
【００１６】
マスター部から出力されるパルス信号は、伝送路を介してスレーブ部に伝送される。ここで、伝送されるパルス信号は、上述の通り、パルス幅の異なる長パルス或いは短パルスである。そのため、シリアル伝送路等の一群のビット情報を伝送できる伝送路を用いる必要はなく、２種類の長さのパルス信号さえ伝送できる伝送路であれば十分である。従って、コストの増大を抑制することができる。
【００１７】
スレーブ部は、マスター部からのパルス信号を入力された順序で記録する。つまり、マスター部から出力されるパルス信号の出力順と同一の並び順を保持した上でパルス信号を記録しており、記録されたパルス信号からなるパルス列における長パルス及び短パルスの並び順は、前記特定パルス列を直列的に連結したパルス列における長パルス及び短パルスの並び順と同一なものである。
【００１８】
スレーブ部はパルス信号の認識に際し、直近に記録された所定数Ａと同数のパルス信号からなるパルス列（「参照パルス列」という）における長パルス及び短パルスの並び順に基づいて、基準位相角度を復元する。復元される基準位相角度は、参照パルス列における長パルス及び短パルスの並び順に対応して予め定められている。ここで、前述したように、特定パルス列を環状に配置したパルス列から所定数Ａのパルス信号からなる任意の異なるパルス列を２組選択した場合、当該選択された２組のパルス列における長パルス及び短パルスの並び順はそれぞれ不一致であるため、親機の機械軸が１サイクル動作する間に参照され得る参照パルス列における長パルス及び短パルスの並び順もそれぞれ不一致となり、それぞれ固有のものである。従って、スレーブ部は、参照パルス列の長パルス及び短パルスの並び順に基づいて、特定の基準位相角度を復元することができる。
【００１９】
スレーブ部は、復元された基準位相角度に基づいて、親機を除く複数の加工装置のうち少なくとも１つからなる子機の機械軸を制御する。例えば、子機の機械軸の位相角度と復元した基準位相角度とが等しくなるよう制御したり、子機の機械軸の位相角度と復元した基準位相角度とが所定の角度差を維持するように制御したりする。これにより、親機と子機との同期動作を図ることができ、ひいては、子機同士の同期動作を図ることができる。また、親機の機械軸が１サイクル動作する間に、スレーブ部は親機の動作状況を信号出力回数Ｍと同回数把握することができ、把握された親機の動作状況に合わせて子機を制御することができる。その結果、親機と子機とをより精度よく同期動作させることができる。また、伝送されるパルス信号は、長パルス或いは短パルスの２種類であるため、一群のビット情報等の比較的多量の情報が伝送される場合と比較して、スレーブ部が処理すべき情報量を比較的少なくすることができる。従って、スレーブ部は、演算速度が比較的遅い演算装置であっても実現することができ、また、精度を保ちつつ同期動作させることができる。
【００２０】
手段２．前記スレーブ部は、所定時間以上前記パルス信号が入力されない場合、或いは、入力されたパルス信号が所定長さ以上である場合、前記子機の動作を停止させることを特徴とする手段１に記載のランプ製造装置。
【００２１】
上記手段２によれば、所定時間以上パルス信号が入力されない場合、或いは、入力されたパルス信号が所定長さ以上である場合には、スレーブ部は子機を停止させる。これにより、仮に親機やマスター部に故障等の不具合が発生した場合であっても、速やかに子機を停止させることができ、同期のズレに伴う不具合の発生を抑制することができる。
【００２２】
手段３．前記マスター部は、前記複数の加工装置のうち１の特定の加工装置からなる前記親機の機械軸から前記基準位相角度を生成することを特徴とする手段１又は２に記載のランプ製造装置。
【００２３】
上記手段３によれば、複数の加工装置のうち１の特定の加工装置が親機とされ、当該親機の機械軸から基準位相角度が生成される。従って、親機として各加工装置とは別の装置を設ける必要がないため、コストの増大を一層抑制することができる。
【００２４】
手段４．前記スレーブ部は、前記パルス信号の認識に際し、前記パルス信号の時間間隔を記録するとともに、直近に記録された前記時間間隔と等しい時間の経過後に、前記子機の機械軸の位相角度が、前記復元された基準位相角度と予め定められた特定角度とを加算した角度に等しくなるよう前記子機の機械軸を制御することを特徴とする手段１乃至３のいずれかに記載のランプ製造装置。
【００２５】
ここで、「特定角度」とは、マスター部がパルス信号を出力してから次のパルス信号を出力するまでの間に親機の機械軸が進む位相角度をいう。また、「パルス信号の時間間隔」とは、前回のパルス信号の認識時から今回のパルス信号の認識時までの時間をいう（以下、同様とする）。
【００２６】
上記手段４によれば、パルス信号の認識に際し、パルス信号の時間間隔が記録される。また、直近に記録された時間間隔と等しい時間が経過した後、子機の機械軸の位相角度が、復元された基準位相角度及び予め定められた特定角度を加算した角度に等しくなるよう子機の機械軸が制御される。これにより、入力されるパルス信号の時間間隔の変動が比較的大きい場合であっても、子機の動作を親機の動作に効果的に追従させることができる。その結果、親機と子機とを一層精度よく同期動作させることができる。
【００２７】
手段５．前記スレーブ部は、前記パルス信号の認識に際し、前記パルス信号の時間間隔を記録するとともに、
前記記録された時間間隔のうち、直近に記録された前記時間間隔と、当該直近に記録された前記時間間隔の直前に記録された前記時間間隔との差が予め定められた所定範囲内である場合、
直近に記録された所定数の前記時間間隔の平均値である平均時間間隔と等しい時間の経過後に、前記子機の機械軸の位相角度が、前記復元された基準位相角度と予め定められた特定角度とを加算した角度に等しくなるよう前記子機の機械軸を制御することを特徴とする手段１乃至３のいずれかに記載のランプ製造装置。
【００２８】
尚、「平均時間間隔」とは、直近に記録された所定数の時間間隔をそれぞれ加算し、加算された時間を前記所定数で除算した値をいう。例えば、所定数を３とした場合、直近に記録された時間間隔ｔ１と、当該時間間隔ｔ１の直前に記録された時間間隔ｔ２と、当該時間間隔ｔ３の直前に記録された時間間隔ｔ３とを加算し、加算された時間（ｔ１＋ｔ２＋ｔ３）を所定数である３で除算した値〔（ｔ１＋ｔ２＋ｔ３）／３〕が平均時間間隔とされる。
【００２９】
上記手段５によれば、パルス信号の認識に際し、パルス信号の時間間隔が記録される。また、直近に記録された時間間隔と、当該直近に記録された時間間隔の直前に記録された時間間隔との差が予め定められた所定範囲内である場合には、直近に記録された所定数の時間間隔の平均時間間隔と等しい時間の経過後に、子機の機械軸の位相角度が、復元された基準位相角度と特定角度とを加算した角度に等しくなるよう子機の機械軸が制御される。これにより、時間間隔の変動が比較的小さい場合に、子機の機械軸の回転速度が急激に変動してしまうことを抑制でき、子機の同期動作をより滑らかなものとすることができる。
【００３０】
手段６．前記スレーブ部は、前記パルス信号の入力開始時に前記パルス信号を認識することを特徴とする手段１乃至５のいずれかに記載のランプ製造装置。
【００３１】
上記手段６によれば、パルス信号の入力開始時にパルス信号が認識される。すなわち、パルス信号の入力が開始されたとき、参照パルス列における長パルス及び短パルスの並び順に基づいて基準位相角度が復元される。これにより、パルス信号の入力が終了されるのを待つことなく基準位相角度を復元することができ、速やかな基準位相角度の復元を図ることができる。
【００３２】
手段７．前記スレーブ部は、前記パルス信号の入力終了時に前記パルス信号を認識することを特徴とする手段１乃至５のいずれかに記載のランプ製造装置。
【００３３】
上記手段７によれば、パルス信号の入力終了時にパルス信号が認識される。つまり、パルス信号の入力が終了されたとき、参照パルス列における長パルス及び短パルスの並び順に基づいて基準位相角度が復元される。ここで、パルス信号の入力開始時にパルス信号が認識されるとき、パルス信号の認識時において当該パルス信号の入力は開始されたばかりであるため、当該パルス信号は未だ記録されていない。そのため、当該パルス信号を利用して基準位相角度を復元することができない。これに対し、本手段７のように、パルス信号の入力終了時にパルス信号が認識される場合には、当該パルス信号は既に記録されており、当該パルス信号を利用して基準位相角度を復元することができる。従って、より効率よく基準位相角度の復元を図ることができる。
【００３４】
手段８．前記スレーブ部は、前記親機を除く各加工装置に対応して設けられていることを特徴とする手段１乃至７のいずれかに記載のランプ製造装置。
【００３５】
上記手段８によれば、親機を除く各加工装置に対応してスレーブ部が設けられる。ここで、例えば、１つのスレーブ部を用いて親機を除く各加工装置を制御する場合には、当該スレーブ部の故障等により親機を除く全ての各加工装置の同期動作に悪影響が及んでしまうおそれがある。これに対し、本手段８のように親機を除く各加工装置に対応してスレーブ部を設けることにより、１つのスレーブ部の故障等による悪影響はそのスレーブ部に制御される１つの加工装置に及ぼされるだけであり、その他の加工装置に悪影響が及ぼされてしまうことを防止できる。また、１つのスレーブ部を用いて親機を除く各加工装置を制御する場合には、各加工装置間の同期制御にあたりスレーブ部に過剰な負荷が生じてしまうおそれがあるが、親機を除く各加工装置に対応してスレーブ部を設けることにより、負荷を分散させることができる。これにより、演算速度がさほど速くない演算装置によってスレーブ部を実現したとしても、上記作用効果が奏されることとなり、コストの増大をさらに抑制することができる。
【００３６】
手段９．前記各加工装置は、前記ガラス管の一端部を封止する封止装置、前記ガラス管内の排気及びガス導入を行う排気・ガス導入装置、前記ガラス管に挿入された水銀合金部材を加熱するＨｇ析出装置、及び前記ガラス管の他端部を封止するとともに、前記ガラス管の不要部位を切除するシールカット装置のうち、少なくとも２つの装置であることを特徴とする手段１乃至８のいずれかに記載のランプ製造装置。
【００３７】
上記手段９によれば、封止装置、排気・ガス導入装置、Ｈｇ析出装置、及び、シールカット装置のうち、少なくとも２つの装置が同期動作するように制御される。ここで、ランプの製造にあたり用いられる全ての加工装置に対して同期制御を行う場合、コストの増大を招いてしまうおそれがあるが、本手段９のように、ランプを製造するにあたって主要な装置である上記４つの装置のうち少なくとも２つの装置を同期制御されることで、同期動作による恩恵を十分に享受しつつ、コストの増大を効果的に抑制することができる。
【００３８】
手段１０．前記各加工装置は、前記ガラス管の受渡手段を具備していることを特徴とする手段１乃至９のいずれかに記載のランプ製造装置。
【００３９】
上記手段１０によれば、各加工装置はガラス管の受渡手段を具備しており、上述した各手段を用いることでガラス管の受渡を円滑に行うことができる。これにより、ガラス管の落下や破損等の不具合の発生を抑制することができる。
【発明を実施するための最良の形態】
【００４０】
以下に、一実施形態について図面を参照しつつ説明する。図１（ｆ）に示すように、本実施形態におけるランプを構成する冷陰極蛍光灯１は、ガラスよりなるバルブ２と、バルブ２の両端において封止状態で設けられた第１マウント３及び第２マウント４とを備えている。バルブ２の内壁面には、蛍光体層５が設けられているとともに、バルブ２内部には水銀蒸気が存在している。各マウント３，４は、電極部２１、該電極部２１から延びるリード線２２及びリード線２２の基端部側に設けられたガラス製のビード２３からなる。
【００４１】
かかる冷陰極蛍光灯１は、図２に示す所定のランプ製造装置１００が用いられることにより、次のようにして製造される。すなわち、まず図１（ａ）に示すように、ガラス管１１の内壁面の所定部位に蛍光体層５を形成する。蛍光体層５は、ガラス管１１内壁面に塗布された蛍光塗膜が加熱焼成されることで形成される。本実施形態では、前記ガラス管１１のうち、蛍光体層５にほぼ対応する部位をバルブ部１２と称し、それよりも図の上方部位を被切除部１３と称することとする。
【００４２】
次に、ガラス管１１は、図２に示す封止装置４１へと搬送される。当該封止装置４１においては、図１（ｂ）に示すように、バーナー等により、ガラス管１１の一端部において、第１マウント３が封止される。第１マウント３の封止に際しては、ガラス管１１と第１マウント３のビード２３とが互いに溶着させられる。また、ガラス管１１の他端側に第１縮径部１５、第２縮径部１６がそれぞれバーナー等で形成され、第１縮径部１５に第２マウント４が仮止めされる。さらに、第２縮径部１６に水銀合金部材１８が挿入される。水銀合金部材１８としては、例えば、金属製の筒体内に、水銀蒸気を放出可能な水銀合金を封入したものが好適に用いられる。また、第１縮径部１５は、前記バルブ部１２と、被切除部１３とのほぼ境界部位（近傍）に形成され、第２縮径部１６は、被切除部１３の略中間位置に形成される。
【００４３】
続いて、図１（ｂ）で示すガラス管１１は、排気・ガス導入装置４２へと供給される。排気・ガス導入装置４２では、ガラス管１１内が排気されつつ、アルゴン等の不活性ガス（希ガス）が導入される。この際、不純物の排出効率をより高めるために、ガラス管１１の加熱が行われる。その後、ガラス管１１は徐冷され、図１（ｃ）に示すように、第１マウント３が封止された側と反対側の端部が封止される。
【００４４】
次いで、ガラス管１１は、Ｈｇ析出装置４３へと供給される。Ｈｇ析出装置４３では、図１（ｄ）に示すように、ガラス管１１内の水銀合金部材１８を、ボンバータ２４（高周波加熱装置）を用いてガラス管１１外周から加熱し、ガラス管１１内に水銀蒸気を放出せしめる。そして、この加熱処理により、水銀蒸気が放出され、バルブ部１２内に流入する。
【００４５】
次に、図１（ｄ）で示すガラス管１１は、シールカット装置４４に供給される。シールカット装置４４では、図１（ｅ）に示すように、ガラス管１１の第１縮径部１５にて係止されていた前記第２マウント４を封止する。より詳しくは、ガラス管１１の所定位置に位置決めした状態で、ガラス管１１の第１縮径部１５外周に沿って、バーナー２５を相対回転させながら、ビード２３及びガラス管１１を加熱し、相互に溶着する。その後、図１（ｆ）に示すように、前記ビードシール方式で封止した封着部を残して、被切除部１３を切除する。このように一連の工程を経ることによって、換言すれば各種工程のための各種加工装置からなるランプ製造装置１００を経ることで、前記冷陰極蛍光灯１が得られる。
【００４６】
さて、封止装置４１から排気・ガス導入装置４２、排気・ガス導入装置４２からＨｇ析出装置４３、Ｈｇ析出装置４３からシールカット装置４４へとガラス管１１をそれぞれ供給する際、各加工装置間でガラス管１１を受け渡す必要があり、ガラス管１１の受渡に際し、各加工装置はそれぞれ同期して動作している。次に、ランプ製造装置１００の構成及び各加工装置間における同期制御の方法について説明する。
【００４７】
図２に示すように、ランプ製造装置１００は、封止装置４１や排気・ガス導入装置４２等の各加工装置と、マスター３１と、伝送路３３とを備えている。各加工装置はそれぞれスレーブ３２を備えており、各スレーブ３２は、伝送路３３を介してマスター３１に対して電気的に接続されている。尚、各加工装置には、ガラス管１１の受渡を行うための図示しない受渡手段が備えられている。
【００４８】
本実施形態において、マスター３１は、コンピュータによって実現されており、図３に示すように、基準位相角度生成手段５１とパルス信号生成手段５２とを備えている。尚、コンピュータとしては、例えば、ＰＬＣと称される演算速度がさほど速くない機械制御用のコンピュータを用いることができる。
【００４９】
基準位相角度生成手段５１は、同期の基準となる基準位相角度を親機の機械軸から生成するものである。本実施形態において、親機の機械軸とは、ＰＬＣ内部において具現化されるいわば仮想的なものであり、親機の機械軸の回転速度は等速度となるように設定されている。ここで、基準位相角度の生成は、以下のように行われる。すなわち、まず、親機の機械軸が１サイクル動作する間に親機の機械軸が進む位相角度（本実施形態では、３６０度）と、親機の機械軸が１サイクル動作するために要する時間（「サイクルタイム」といい、本実施形態では、「Ｔ」を用いる）とを予め求めておき、親機の機械軸が１サイクル動作する間に進む位相角度をサイクルタイムで除算した角度、つまり単位時間当たりに親機の機械軸が進む位相角度を予め算出しておく。次に、当該単位時間当たりに親機の機械軸が進む位相角度に基づいて、サイクルタイムを予め定められた信号出力回数Ｍ（本実施形態では、例えば、Ｍ＝８）で等分割した時間（「生成時間間隔」といい、本実施形態ではＴ／８）で親機の機械軸が進む位相角度（「特定角度」といい、本実施形態では、４５度）を算出し、基準位相角度生成手段５１に当該特定角度及び生成時間間隔を予め記録しておく。基準位相角度生成手段５１は、まず初期状態における親機の機械軸の位相角度（本実施形態では、０度）を基準位相角度として生成し、後には、図４に示すように、前回生成された基準位相角度に特定角度を加算した基準位相角度を生成時間間隔毎に生成する（本実施形態では、４５度、９０度、１３５度、１８０度・・・と生成される）。生成された基準位相角度と親機の機械軸が１サイクル動作する間に進む位相角度とが等しくなったとき、ＰＬＣは親機の機械軸が初期状態に戻ったと判断し、初期状態における親機の機械軸の位相角度を基準位相角度として生成する。以後において、基準位相角度生成手段５１は上記動作を繰返し行い、基準位相角度を生成していく。
【００５０】
パルス信号生成手段５２は、前記基準位相角度生成手段５１により生成された基準位相角度に対応するパルス信号を生成し、生成したパルス信号をスレーブ３２へと出力する。また、生成されたパルス信号は、前記生成時間間隔毎にスレーブ３２に対してその出力が開始される。ここで、パルス信号とは、図４に示すように、オン及びオフの２種類の状態を有する矩形信号のうち、オンの状態が本実施形態におけるパルス信号にあたる。パルス信号は、パルス幅が所定長さ以上の長パルスと、パルス幅が所定長さ未満の短パルスとの２種類であり、長パルスは、短パルスより所定の長さだけ長くなるように設定されている（本実施形態では、長パルスは短パルスの２倍の長さとされている）。生成されるパルス信号が長パルス或いは短パルスとなるかは、それぞれの基準位相角度に対応して予め定められている（便宜上、長パルスをＷ、短パルスをＮと表示すると、本実施形態では、基準位相角度が０度である時はＷ、４５度である時はＷ、９０度である時はＷ、１３５度である時はＮ、１８０度である時はＷ、２２５度である時はＮ、２７０度である時はＮ、３１５度である時はＮがそれぞれ出力されるようになっている）。ここで、親機の機械軸が１サイクル動作する間に生成されるパルス信号を並べたパルス列における長パルス及び短パルスの並び順（本実施形態では、ＷＷＷＮＷＮＮＮ）が、予め定められた所定の特定パルス列における長パルス及び短パルスの並び順と同様の並び順となるように設定されている。換言すれば、特定パルス列における長パルス及び短パルスの並び順に当てはめてパルス信号が生成・出力される。ここで、特定パルス列とは、当該特定パルス列を環状に配置し、環状に配置されたパルス列からｌｏｇ2Ｍ以上の最小の整数である所定数Ａ（本実施形態では、Ａ＝３）と同数のパルス信号からなる任意の異なる２組のパルス列を選択したとき、当該選択された２組のパルス列における長パルス及び短パルスの並び順が不一致となるパルス列である。例えば、本実施形態における特定パルス列｛ＷＷＷＮＷＮＮＮ｝を環状に配置し、環状に配置されたパルス列から３つのパルス信号からなるパルス列を選択すると、｛ＷＷＷ｝、｛ＷＷＮ｝、｛ＷＮＷ｝、｛ＮＷＮ｝、｛ＷＮＮ｝、｛ＮＮＮ｝、｛ＮＮＷ｝、｛ＮＷＷ｝が選択可能であり、これらのパルス列におけるＷ及びＮの並び順は全て不一致となっている。
【００５１】
伝送路３３は、パルス信号生成手段５２において出力されたパルス信号をスレーブ３２へと伝送するためのものである。当該伝送路３３としては、２種類の長さのパルス信号さえ伝送できるものであればよく、本実施形態では、デジタルＩ／Ｏを１ビットのみで構成されている。
【００５２】
各加工装置は、スレーブ３２と、モータ５６と、エンコーダ５７とを備えている。尚、ここでは、一例として、特に封止装置４１に設けられているスレーブ３２等の構成及び動作について説明するが、他の各加工装置においてもスレーブ３２等が備えられており、同様の動作がされるものである。また、各加工装置に設けられた前記受渡手段は、モータ５６によって動作されるものであり、モータ５６の機械軸の位相角度と前記親機の機械軸から生成される基準位相角度とが等しくされることで、各加工装置間においてガラス管１１を円滑に受渡できるように設定されている。加えて、エンコーダ５７によって、モータ５６の機械軸の位相角度及び回転速度を検出できるようになっている。
【００５３】
スレーブ３２は、本実施形態において、マスター３１と同様にＰＬＣによって実現されている。尚、各加工装置には一般的に加工装置内の各種機械を制御するためのＰＬＣが設けられており、当該ＰＬＣが用いられることで本実施形態のスレーブ３２は実現されている。
【００５４】
スレーブ３２は、図３に示すように、基準位相角度復元手段５３と、加減速信号出力手段５４と、インバータ５５とを備えている。
【００５５】
基準位相角度復元手段５３は、伝送路３３を介してマスター３１から入力されたパルス信号の時間間隔、及び入力されたパルス信号を入力された順序を維持しつつ記録している。本実施形態において、「パルス信号の時間間隔」とは、前回のパルス信号の入力開始時から今回のパルス信号の入力開始時までの時間をいう。また、パルス信号は、その入力が終了した時点で記録されるようになっている。換言すれば、パルス信号の入力開始時において、当該パルス信号は記録されていない。基準位相角度復元手段５３は、パルス信号の入力開始時にパルス信号を認識し、当該パルス信号の認識に際し、記録されたパルス信号のうち直近に記録された所定数Ａと同数のパルス信号からなるパルス列（「参照パルス列」という）における長パルス及び短パルスの並び順に基づいて、基準位相角度を復元する。復元される基準位相角度は、参照パルス列における長パルス及び短パルスの並び順に対応して予め定められている。ここで、記録されたパルス信号からなるパルス列は、特定パルス列を直列的に連続して並べたパルス列と等しいものであるため、親機の機械軸が１サイクル動作する間に参照され得る参照パルス列における長パルス及び短パルスの並び順は全て不一致であり、それぞれの参照パルス列における長パルス及び短パルスの並び順は固有のものである。これにより、参照パルス列から特定の基準位相角度を復元することができ、ひいては、生成された基準位相角度を復元できるようになっている。例えば、本実施形態では、図５に示すように、直近に記録された３つのパルス信号の並び順がそれぞれ｛ＮＮＮ｝、｛ＮＮＷ｝、｛ＮＷＷ｝、｛ＷＷＷ｝、｛ＷＷＮ｝、｛ＷＮＷ｝、｛ＮＷＮ｝、｛ＷＮＮ｝であるとき、復元される基準位相角度はそれぞれ０度、４５度、９０度、１３５度、１８０度、２２５度、２７０度、３１５度と設定されている。ここで、図４に示すように、基準位相角度が２７０度である時、マスター３１から短パルス（Ｎ）の入力が開始され、当該短パルスが認識された際、記録されたパルス信号からなるパルス列は・・・ＷＷＮＷＮである。このとき、直近に記録された３つのパルス信号からなる参照パルス列は｛ＮＷＮ｝であり、当該参照パルス列｛ＮＷＮ｝に対応して復元される基準位相角度は上述の通り２７０度である。すなわち、基準位相角度生成手段５１によって生成された基準位相角度と等しい基準位相角度が復元される。
【００５６】
復元された基準位相角度及びパルス信号の時間間隔は、後述する加減速信号出力手段５４へと送られる。尚、本実施形態において、所定時間以上パルス信号が入力されない場合、或いは、入力されたパルス信号が所定長さ以上である場合、加減速信号出力手段５４に対し異常を示す信号が送られるようになっている。
【００５７】
加減速信号出力手段５４は、パルス信号の認識に際し、基準位相角度復元手段５３によって復元された基準位相角度と、モータ５６の機械軸の位相角度と、モータ５６の機械軸の回転速度とに基づいて、インバータ５５に対して加速信号或いは減速信号を出力する。より詳しくは、直近に記録されたパルス信号の時間間隔（「第１時間間隔」という）と当該第１時間間隔の直前に記録されたパルス信号の時間間隔（「第２時間間隔」という）との時間差が所定範囲外にある場合、第１時間間隔と等しい時間の経過後に、モータ５６の機械軸の位相角度が、復元された基準位相角度と特定角度とを加算した角度と等しくなるようインバータ５５に対して、加速信号或いは減速信号を出力する。一方、第１時間間隔と第２時間間隔との時間差が所定範囲内にある場合には、直近に記録された所定数（本実施形態では、当該所定数を２とする）の時間間隔の平均値である平均時間間隔（本実施形態では、第１時間間隔及び第２時間間隔を加算した時間を２で除算した時間）の経過後に、モータ５６の機械軸の位相角度が復元された基準位相角度と特定角度とを加算した角度と等しくなるようインバータ５５に対して、加速信号或いは減速信号を出力する。例えば、本実施形態においては、図７に示すように、短パルス（Ｎ）であるパルス信号Ｐ１の認識に際し、参照パルス列は｛ＷＷＷ｝であるため、前記基準位相角度復元手段５３によって基準位相角度として１３５度が復元される。そして、加減速信号出力手段５４により、第１時間間隔にあたる時間間隔Ｃと第２時間間隔にあたる時間間隔Ｂとの時間差が所定範囲Ｇ内にあるか否かが判断される。ここでは、時間間隔Ｃと時間間隔Ｂとの時間差が所定範囲Ｇの範囲外であるため、モータ５６の機械軸の位相角度が、時間間隔Ｃと等しい時間の経過後に、現在復元された基準位相角度である１３５度と特定角度である４５度とを加算した角度である１８０度と等しくなるよう、インバータ５５に対して加速信号が出力される。次に、長パルス（Ｗ）であるパルス信号Ｐ２の認識に際し、参照パルス列は｛ＷＷＮ｝であるため、基準位相角度復元手段５３によって基準位相角度として１８０度が復元される。そして、加減速信号出力手段５４により、第１時間間隔にあたる時間間隔Ｄと第２時間間隔にあたる時間間隔Ｃとの時間差が上記同様に判断される。ここでは、時間間隔Ｄと時間間隔Ｃとの時間差が所定範囲Ｇの範囲内にあるため、モータ５６の機械軸の位相角度が、時間間隔Ｃ及び時間間隔Ｄを加算した値を２で除算した平均時間間隔と等しい時間の経過後に、現在の基準位相角度である１８０度と特定角度である４５度とを加算した角度である２２５度と等しくなるよう、インバータ５５に対し減速信号が出力される。尚、基準位相角度復元手段５３から異常を示す信号が送られた際には、加減速信号出力手段５４は、インバータ５５に対して減速信号を出力し、モータ５６の動作を停止させるようになっている。
【００５８】
インバータ５５は、前記加減速出力手段５４によって出力された加速信号或いは減速信号に基づいて、モータ５６の機械軸の加速制御或いは減速制御を行う。
【００５９】
以上、上述した各手段の動作等により、前記親機の機械軸の基準位相角度とモータ５６の機械軸の位相角度とが略等しいものとなり、その結果、各加工装置間においてガラス管１１を円滑に受渡できるようになっている。
【００６０】
以上詳述したように、本実施形態によれば、伝送されるパルス信号は、パルス幅の異なる長パルス或いは短パルスである。そのため、シリアル伝送路等の一群のビット情報を伝送できる伝送路を用いる必要はなく、２種類の長さのパルス信号さえ伝送できる伝送路であれば十分である。従って、コストの増大を抑制することができる。さらに、伝送されるパルス信号は、長パルス或いは短パルスの２種類であるため、一群のビット情報等の比較的多量の情報が伝送される場合と比較して、スレーブ３２が処理すべき情報量を比較的少なくすることができる。従って、スレーブ３２は、演算速度がさほど速くないＰＬＣであっても実現することができ、また、精度を保ちつつ同期動作させることができる。
【００６１】
加えて、親機の機械軸が１サイクル動作する間に、スレーブ３２は親機の動作状況を信号出力回数Ｍと同回数把握することができ、把握された親機の動作状況に合わせて各加工装置を制御することができる。その結果、親機と各加工装置との同期動作をより精度よくすることができ、ひいては、各加工装置同士の同期動作をより精度よくすることができる。
【００６２】
さらに、所定時間以上パルス信号が入力されない場合、或いは、入力されたパルス信号のパルス幅が所定長さ以上である場合には、スレーブ３２はモータ５６を停止させる。これにより、仮にマスター３１に故障等の不具合が発生した場合であっても、速やかにガラス管１１の受渡手段を停止させることができ、同期のズレに伴うガラス管１１の破損や落下等の不具合の発生を抑制することができる。
【００６３】
また、第１時間間隔と第２時間間隔との時間差が所定範囲Ｇの範囲外にある場合には、第１時間間隔と等しい時間が経過した後、モータ５６の機械軸の位相角度が、復元された基準位相角度及び特定角度を加算した角度に等しくなるようモータ５６の機械軸が制御される。これにより、入力されるパルス信号の時間間隔の変動が比較的大きい場合であっても、モータ５６の機械軸の動作を親機の機械軸の動作に効果的に追従させることができる。その結果、親機と各加工装置との同期動作を一層精度よくすることができる。
【００６４】
一方で、第１時間間隔と第２時間間隔との時間差が所定範囲Ｇの範囲内にある場合には、平均時間間隔と等しい時間の経過後に、モータ５６の機械軸の位相角度が、復元された基準位相角度と特定角度とを加算した角度に等しくなるようモータ５６の機械軸が制御される。これにより、入力されるパルス信号の時間間隔の変動が比較的小さい場合には、モータ５６の機械軸の回転速度が急激に変動してしまうことを抑制でき、各加工装置の同期動作を一層滑らかなものとすることができる。
【００６５】
加えて、本実施形態では、パルス信号の入力開始時にパルス信号を認識している。つまり、パルス信号の入力が開始されたとき、参照パルス列における長パルス及び短パルスの並び順に基づいて基準位相角度が復元される。これにより、パルス信号の入力が終了されるのを待つことなく基準位相角度を復元することができ、速やかな基準位相角度の復元を図ることができる。
【００６６】
尚、上記実施形態の記載内容に限定されず、例えば次のように実施してもよい。勿論、以下において例示しない他の応用例、変更例も当然可能である。
【００６７】
（ａ）上記実施形態においては、封止装置４１や排気・ガス導入装置４２等とは別の装置を親機（マスター）としているが、封止装置４１や排気・ガス導入装置４２等の各加工装置を親機とし、これらの装置に設けられたモータ５６からエンコーダ等を用いて基準位相角度を生成することとしてもよい。これにより、親機として各加工装置とは別の装置を設ける必要がなくなり、コストの増大をより一層抑制することができる。
【００６８】
（ｂ）上記実施形態においては、各加工装置間におけるガラス管１１の受渡動作を中心に上述した同期制御方法が説明されているが、もちろん、加工装置内に設けられた各種機械間における同期動作において上述した同期制御方法が用いられることとしてもよい。例えば、ガラス管１１の両端部を保持する一対の保持手段を移動させることでガラス管１１を搬送する場合において、上述した同期制御方法を用いて当該一対の保持手段を同期して移動させることとしてもよい。
【００６９】
（ｃ）上記実施形態では、信号出力回数Ｍを８としているが、信号出力回数Ｍとしては、３以上の整数であればよい。以下において、信号出力回数Ｍを３〜１６とした場合において用いることができる特定パルス列及び特定パルス列の計数をそれぞれ表１〜表１４に示す（各表において、長パルス列をＷ、短パルス列をＮとして示している）。
【００７０】
【表１】
2008193851.tif 000003
【００７１】
【表２】
2008193851.tif 000004
【００７２】
【表３】
2008193851.tif 000005
【００７３】
【表４】
2008193851.tif 000006
【００７４】
【表５】
2008193851.tif 000007
【００７５】
【表６】
2008193851.tif 000008
【００７６】
【表７】
2008193851.tif 000009
【００７７】
【表８】
2008193851.tif 000010
【００７８】
【表９】
2008193851.tif 000011
【００７９】
【表１０】
2008193851.tif 000012
【００８０】
【表１１】
2008193851.tif 000013
【００８１】
【表１２】
2008193851.tif 000014
【００８２】
【表１３】
2008193851.tif 000015
【００８３】
【表１４】
2008193851.tif 000016
尚、特定パルス列としては、長パルスと短パルスとを反転させたパルス列を用いることも可能である。また、特定パルス列の計数において、カッコ内の数値は長パルスと短パルスとを反転させたパルス列を含めた場合における計数である。
【００８４】
（ｄ）上記実施形態では、各加工装置はモータ５６及びエンコーダ５７を備えているが、そのようなものに限られることなく、モータ５６、インバータ５５、及びエンコーダ５７を備えないで、スレーブ３２により復元された位相角度に従い、エアーシリンダなどのアクチュエータが動作する構成の加工装置であってもよい。この場合は、加工装置の機械軸は、親機の機械軸同様にＰＬＣ内部において具現化されている仮想的なものとなる。
【００８５】
（ｅ）上記実施形態では、基準位相角度復元手段５３によって復元される基準位相角度は、特定角度毎の位相角度（上記実施形態では、４５度、９０度、１３５度・・・）であるが、親機の機械軸の回転速度をもとに、特定角度毎の位相角度の間の位相角度を演算により補完処理した位相角度を、復元される基準位相角度としてもよい。補完処理は、親機の機械軸の回転速度を、過去のパルスの時間間隔をもとに、演算して推定し、所定時間毎に所定位相角度を加算することにより行うことができる。また、パルス信号を受取ったときに、そのパルス信号により復元される位相角度と、補完処理した位相角度にずれが生じた場合には、例えば次のパルス信号や数回先のパルス信号を受取ることが予想される時間までかかって、徐々に修正してもよい。もちろん、ずれの度合いに応じて修正されるまでの時間を可変してもよい。このような補完処理をすることにより、よりきめ細やかな同期制御をすることができる。
【００８６】
（ｆ）上記実施形態では、復元した位相角度をもとに、機械軸が所定時間後に所定の位相角度になるよう制御しているが、復元した基準位相角度と、モータの機械軸の位相角度との差をもとに、モータを加速／減速制御することにより、同期制御してもよい。
【００８７】
（ｇ）上記実施形態では、パルス信号の入力開始時にパルス信号が認識されているが、パルス信号の入力終了時にパルス信号が認識されることとしてもよい。この場合、パルス信号の入力終了時に、親機の機械軸の位相角度が、入力を終了したパルス信号に対応する基準位相角度と等しくなるようにされる。例えば、上記実施形態における特定パルス列｛ＷＷＷＮＷＮＮＮ｝を用いて説明すると、３連続するＷのうちの左から３番目のＷは基準位相角度が９０度であるときに入力されるパルス信号であるが、当該Ｗの入力が終了した時点で親機の機械軸の位相角度が９０度となるように設定される。また、図６に示すように、参照パルス列がそれぞれ｛ＮＮＷ｝、｛ＮＷＷ｝、｛ＷＷＷ｝、｛ＷＷＮ｝、｛ＷＮＷ｝、｛ＮＷＮ｝、｛ＷＮＮ｝、｛ＮＮＮ｝であるとき、基準位相角度として０度、４５度、９０度、１３５度、１８０度、２２５度、２７０度、３１５度がそれぞれ生成されるとすると、例えば、上述した特定パルス列｛ＷＷＷＮＷＮＮＮ｝の左から３番目のＷが認識されるに際し、当該Ｗの入力が終了しており、当該Ｗは記録済みである。従って、基準位相角度復元手段５３は、当該Ｗを含めた参照パルス列｛ＷＷＷ｝から基準位相角度（９０度）を復元することができる。結果として、より効率よく基準位相角度を復元することができる。
【００８８】
（ｈ）上記実施形態において、親機の機械軸が１サイクル動作する間に進む親機の機械軸の位相角度が３６０度とされているが、親機の機械軸が１サイクル動作する間に進む親機の機械軸の位相角度については３６０度に限定されるものではない。例えば、親機の機械軸が１サイクル動作する間に進む親機の機械軸の位相角度を１８０度としてもよい。
【００８９】
（ｉ）上記実施形態において、親機の機械軸の回転速度は等速度となるようにされているが、親機の機械軸の回転速度が随時変化するものとしてもよい。この場合、特定角度は、復元された基準位相角度によって種々変化することとなる。
【００９０】
（ｊ）上記実施形態では、加減速信号出力手段５４は、第１時間間隔と第２時間間隔との時間差が所定範囲Ｇの範囲内であるとき、平均時間間隔と等しい時間の経過後に、モータ５６の機械軸の位相角度が、復元された基準位相角度と特定角度とを加算した角度となるよう加速信号或いは減速信号を出力しているが、第１時間間隔と第２時間間隔との時間差が所定範囲Ｇの範囲内にあっても、第１時間間隔と等しい時間の経過後に、モータ５６の機械軸の位相角度が、復元された基準位相角度と特定角度とを加算した角度となるよう加速信号或いは減速信号を出力することとしてもよい。
【図面の簡単な説明】
【００９１】
【図１】（ａ）〜（ｆ）は、一実施形態における冷陰極蛍光灯の製造工程を模式的に示すガラス管等の断面図である。
【図２】ランプ製造装置を模式的に示すブロック図である。
【図３】マスター及びスレーブ等を模式的に示すブロック図である。
【図４】基準位相角度の生成及び基準位相角度に対応したパルス信号の出力を示すタイミングチャートである。
【図５】パルス信号の入力開始時にパルス信号を認識する場合における基準位相角度復元手段による基準位相角度の復元について示すタイミングチャートである。
【図６】パルス信号の入力終了時にパルス信号を認識する場合における基準位相角度復元手段による基準位相角度の復元について示すタイミングチャートである。
【図７】モータの機械軸の位相角度等の遷移を示すグラフである。
【符号の説明】
【００９２】
１…冷陰極蛍光灯、１１…ガラス管、３１…マスター、３２…スレーブ、３３…伝送路、４１…封止装置、４２…排気・ガス導入装置、４３…Ｈｇ析出装置、４４…シールカット装置、１００…ランプ製造装置。
【図１】
2008193851.tif 000017
【図２】
2008193851.tif 000018
【図３】
2008193851.tif 000019
【図４】
2008193851.tif 000020
【図５】
2008193851.tif 000021
【図６】
2008193851.tif 000022
【図７】
2008193851.tif 000023